(57)【特許請求の範囲】
【請求項１】
工作機械を床面に水平状態に据付け調整するために、前記工作機械の本体を構成するベッドの下部の複数の位置に設けられる工作機械のレベル調整装置であって、
前記ベッドには、下面の複数の箇所に、天井面と側面とで区画され、底面が開放された概略長方体の凹部空間が形成され、
前記凹部空間の入口の少なくとも一方に形成され、前記入口側が広がる方向に傾斜した案内面と、
前記工作機械が設置される前記床面に載置され、前記凹部空間に、前記入口側から挿入可能なレベル調整装置基体と、
前記レベル調整装置基体にねじ込まれ、頭部が前記凹部空間の前記天井面に接触し、前記ベッドを上下方向に調整可能に、前記凹部空間の前記天井面を支持する調整ボルトと、
前記凹部空間の側面の少なくとも一つの面であって、前記調整ボルトを前記上下方向に調整するため回転させるときに、前記レベル調整装置基体に形成された少なくとも一つの側面と当接して、前記レベル調整装置基体が前記調整ボルトと共回りして回転しようとするのを規制する回転規制面手段と、
前記調整ボルトと前記レベル調整装置基体との間に設けられ、前記調整ボルトを回転させて、前記工作機械が水平状態に据付け調整されたとき、前記調整ボルトを前記レベル調整装置基体に固定するためのロック部材とからなり、
前記床面に設置された前記ベッドの前記凹部空間に前記レベル調整装置基体を挿入できるようにした
ことを特徴とする工作機械のレベル調整装置。
【請求項２】
請求項１において、前記凹部空間の前記天井面には、前記調整ボルトの頭部が係合するための調整ボルト係合部が形成されている
ことを特徴とする工作機械のレベル調整装置。
【請求項３】
請求項２において、前記調整ボルト係合部は、凹状に形成された円錐形であり、前記調整ボルトの頭部は、前記円錐形に係合する凸状である
ことを特徴とする工作機械のレベル調整装置。
【請求項４】
請求項２において、前記調整ボルト係合部は、凹状に形成され所定角度をなす溝形であり、前記調整ボルトの頭部は、前記溝形に係合する凸状である
ことを特徴とする工作機械のレベル調整装置。
【請求項５】
請求項２において、前記調整ボルト係合部は、凹状に形成された円錐形であり、前記調整ボルトの頭部は、前記円錐形に係合する球状の頭部である
ことを特徴とする工作機械のレベル調整装置。
【発明の詳細な説明】
【０００１】
【発明の属する技術分野】
本発明は、工作機械のレベル調整装置に関する。更に詳しくは、工作機械を精度よく据え付けるために工作機械のレベルを調整するための工作機械のレベル調整装置に関する。
【０００２】
【従来の技術】
工作機械のベッドは工場の床面に設置されるが、このときベッド上に形成されたテーブル等が正確に水平になるようにレベルを調整しなければならない。このレベルの調整は、支持ボルトによって行われている。ベッドの下面には、支持ボルトをねじ込むためのネジ孔が形成されている。このネジ孔を加工するには重量があり大型のベッドを反転させる必要がある。
【０００３】
このためベッドの下面に凹部を形成し、この凹部に係合するように支持ボルトの頂部を凸に形成してベッドにネジ孔を形成しなくても良い構造が提案されている（特開平４−３６０７３７号公報）。しかしながら、前記提案は支持ボルトを回転させる際に、支持ボルトを支承するプレート下面と床面との間の摩擦力が弱くプレートが滑って回転してしまう場合があり、プレートの回転を規制しなければならない。また、この作業を行う作業者はベッドの下に工具を差し込んで体を低くして作業を行うため支持ボルトの調整が難しい。調整作業を簡単にしないと、作業者が疲労しやすく時間短縮も困難である。
【０００４】
【発明が解決しようとする課題】
本発明は上述のような技術背景のもとになされたものであり、下記目的を達成する。
【０００５】
本発明の目的は、ベッドを支持するための支持ボルトの位置調整が簡単な工作機械のレベル調整装置を提供することにある。
【０００６】
本発明の他の目的は、ベッドの下面の機械加工のためにベッドを反転する必要がない構造の工作機械のレベル調整装置を提供することにある。
【０００７】
本発明の更に他の目的は、支持（調整）ボルトとこれを支持するレベル調整装置基体が支持ボルトの調整時に共回りしない構造の工作機械のレベル調整装置を提供することにある。
【０００８】
【課題を解決するための手段】
本発明の工作機械のレベル調整装置は、前記目的を達成するために、
工作機械を床面に水平状態に据付け調整するために、前記工作機械の本体を構成するベッドの下部の複数の位置に設けられる工作機械のレベル調整装置であって、前記ベッドには、下面の複数の箇所に、天井面と側面とで区画され、底面が開放された概略長方体の凹部空間が形成され、前記凹部空間の入口の少なくとも一方に形成され、前記入口側が広がる方向に傾斜した案内面と、前記工作機械が設置される前記床面に載置され、前記凹部空間に、前記入口側から挿入可能なレベル調整装置基体と、前記レベル調整装置基体にねじ込まれ、頭部が前記凹部空間の前記天井面に接触し、前記ベッドを上下方向に調整可能に、前記凹部空間の前記天井面を支持する調整ボルトと、前記凹部空間の側面の少なくとも一つの面であって、前記調整ボルトを前記上下方向に調整するため回転させるときに、前記レベル調整装置基体に形成された少なくとも一つの側面と当接して、前記レベル調整装置基体が前記調整ボルトと共回りして回転しようとするのを規制する回転規制面手段と、前記調整ボルトと前記レベル調整装置基体との間に設けられ、前記調整ボルトを回転させて、前記工作機械が水平状態に据付け調整されたとき、前記調整ボルトを前記レベル調整装置基体に固定するためのロック部材とからなり、前記床面に設置された前記ベッドの前記凹部空間に前記レベル調整装置基体を挿入できるようにしたことを特徴とする。
【０００９】
前記調整ボルト（支持ボルトともいう。）の頭部が係合するための調整ボルト係合部がベッドの凹部空間の天井面に形成されている。前記調整ボルト係合部は、ベッドの天井面から窪んだ凹状に形成されており、その凹状は円錐形、球状、だ円状か、又は断面形状がＶ字、Ｕ字状、Ｔ字状等の溝で形成される。
【００１０】
前記調整ボルトの頭部は、凸状であり、この凸状は前記溝に形状が合致するように球状、円錐状、だ円状等の凸部であってもよい。前記調整（支持ボルトともいう。）ボルトは、ロックナットでレベル調整装置基体に固定すると良い。前記レベル調整装置基体には、前記回転規制用凹部または前記回転規制面と接する少なくとも一つの平面が形成されている。レベル調整装置基体は、矩形、円形等のプレート等で構成され、その一部に少なくとも一つの平面が形成されている。
【００１１】
前記レベル調整装置基体は、前記回転規制面に前記平面が接して位置決めされる。回転規制面手段は、ベッドの側面から内部にかけて空間として区画形成された凹部空間である回転規制用凹部か、ベッドの一部に形成された一つの平面である回転規制面である。この回転規制面は、前記レベル調整装置基体が前記調整ボルトが回転しないように止めるためのものであり、これはベッドに形成された少なくとも一つの面からなる平面である。
【００１２】
回転規制用凹部の場合は、前記レベル調整装置基体が挿入し易いように入口にテーパ状の案内面を形成しても良い。また、回転規制用凹部の幅は、前記レベル調整装置基体が挿入でき、しかも前記レベル調整装置基体が回転しない程度の幅寸法がより効果的である。
【００１３】
【発明の実施の形態】
［発明の実施の形態１］
次に、本発明の実施の形態１を説明する。図１は、本発明の実施の形態１を示すベッドの斜軸投影図、図２は図１のベッド支持部の拡大図であり、図３はベッド支持部を所定位置に位置決めした状態を示すものであり、その状態で一部破断した正面図である。ベッド１は、工作機械の本体を構成する鋳物または鋼板等で製作される台である。ベッド１の上には、テーブル等を案内する案内面２を備えている。案内面２を機械加工するときには、ベッド１に固定されたフック３にワイヤロープ４を掛けてクレーンにより吊られてベッド加工用の工作機械（図示せず）のテーブル上に載置され必要な機械加工がされる。
【００１４】
図２は、ベッド支持部の拡大図である。ベッド支持部１０は、ベッド１の下面の複数の箇所（例えば、この実施形態１では４ヶ所）に配置されている。ベッド１の側面１１から内部方向に凹部空間（回転規制用凹部）１２が形成されている。凹部空間１２は、底面が開放された概略長方体に形成されている。凹部空間１２の内側面１３は、側面１１と略直角になるように形成されている。
【００１５】
凹部空間１２の入口は少なくとも一方の側に傾斜した案内面（この実施形態では両側に形成）１４が形成されている。凹部空間１２の最深部はストッパ面１５で区画されている。また、凹部空間１２の上面は、実質的には平らな天井面１６が形成されている。結局、凹部空間１２は、案内面１４、内側面１３、ストッパ面１５、及び天井面１６で区画されている空間である。天井面１６には、円錐凹部（例えば、直径５０〜６０mm、円錐角９０〜１５０度の円錐形の穴）１７が上方に向けて形成されている。
【００１６】
円錐凹部１７は、支持（調整ともいう。）ボルト２０の球面状の頭部２１がベッド１を支持するときに接する部分である。支持ボルト２０は、平面視で四角形である支持プレート（レベル調整装置基体）２３にねじ込まれている。支持プレート２３の一辺の大きさは寸法Ｌである。凹部空間１２の内側面１３と内側面１３との間の寸法はＬ’であり、Ｌ＜Ｌ’の関係にある。
【００１７】
したがって、支持プレート２３は、凹部空間１２の内側面１３と内側面１３との間に挿入できる。支持ボルト２０は、ロックナット２２で支持プレート２３にロックされる。支持プレート２３を凹部空間１２に挿入すると、支持プレート２３の側面２４がストッパ面１５に当接して支持プレート２３の回転が規制される（図３参照）。
【００１８】
すなわち、支持ボルト２０を回転させる際に、支持プレート２３の回転を規制する操作を行わなくてよい。この位置で支持ボルト２０を回して頭部２１を円錐凹部１７に接触させてベッド１を高さ調整する。高さ調整が終了すると、ロックナット２２を回して支持ボルト２０を支持プレート２３に固定する。
【００１９】
［発明の実施の形態２］
図４は、発明の実施の形態２を示すものであり、その一部を断面した正面図である。前記発明の実施の形態１では、支持ボルト２０の頭部２１は円錐凹部１７で受けている。図４に示すものは、円錐凹部１７を球面状の球状凹部２５としたものである。前記発明の実施の形態１のものに比して、支持ボルト２０の頭部２１の支持面積が大きいので支持ボルト２０の頭部２１の摩耗が少なく、かつ安定した支持ができる効果がある。
【００２０】
［発明の実施の形態３］
図５は、発明の実施の形態３を示す斜軸投影図である。凹部空間１２の天井面１６には、逆Ｖ字状の凹部であるＶ支持面３０が入口から形成されている。Ｖ支持面３０が奥のストッパ面１５まで形成されているので、支持プレート２３をストッパ面１５まで押し込める必要はなく、任意の位置でベッド１を支持できる利点がある。
【００２１】
［発明の実施の形態４］
前記実施の形態１，２，３では、支持プレート２３が支持ボルト２０を回転させる際に回転しないように凹部空間１２に挿入して規制していた。図６（ａ）（ｂ）に示す本発明の実施の形態４は、ベッド１に形成された一側面のみで支持プレート２３の回転を規制するものである。図６（ａ）は一部を断面した正面図であり、図６（ｂ）は図６（ａ）を矢視した矢視図すなわち底面図である。図６（ａ）（ｂ）に示すように、四角形の支持プレート２３の回転を規制するためにはベッド１に形成した一つの平面である回転規制面３５のみであってもよい
【００２２】
支持プレート２３の側面２３ａである１面のみをベッド１に形成された回転規制面３５に当接することにより、支持プレート２３の回転が規制される。また、支持プレート２３の形状は四角形状とされているが、これに限定されるものではない。凹部空間１２の内側面１３、ストッパ面１５のどれかと接する側面が形成されているものであれば、支持プレート２３はどんな形状であってもよい。
【００２３】
図７（ａ）（ｂ）（ｃ）（ｄ）は、支持プレート２３に側面２３ａを形成した他の形状の支持プレート２３の形態を示すものである。図７（ａ）は、支持プレート２３を円板状に形成し、その一部を切り欠いて側面２３ａとしたものである。図７（ｂ）は、支持プレート２３を四角形に形成し、その一つの角の一部を切り欠いて側面２３ａとしたものである。
【００２４】
図７（ｃ）は、支持プレート２３を円板状に形成し、その一部を切り欠いて側面２３ａとしたものであり、凹部空間１２の一側面を回転規制面３５として形成したものである。図７（ｄ）は、支持プレート２３を円板状に形成し、その一部を切り欠いて側面２３ａとしたものであり、ベッド１の角部に形成された矩形の凹部空間１２の２面が開放された例である。
【００２５】
前記実施の形態１、２、３では、支持ボルト２０を支持プレート２３にロックナット２２で固定していると説明しているが、支持プレート２３にねじ込まれた止ねじで支持ボルト２０のねじ部を直接または当金を介して押圧して固定しても良い。
【００２６】
［その他の実施の形態例］
前記発明の実施の形態３は、凹部空間１２の天井に逆Ｖ字状の凹部であるＶ支持面３０が形成されていた。しかしながら、前記説明から理解されるように、Ｕ字状等の他の面形状、蟻溝状、鳩尾状溝等の他の溝形状であっても良い。支持ボルト２０の頭部２１もこれらの形状に合致するように形成するのが望ましい。
【００２７】
【発明の効果】
以上詳記したように、本発明は調整ボルトの位置調整が簡単である、ベッドの下面の機械加工のためにベッドを反転する必要がなくベッドの加工工数が少なくて良い等の効果がある。また、調整ボルトを支承するレベル調整装置基体の回転を、ベッドに形成された回転規制用凹部または回転規制面で止めているので調整ボルトを回して共周りすることはない。
【図面の簡単な説明】
【図１】図１は、本発明の実施の形態１を示す斜軸投影図である。
【図２】図２は、図１のベッド支持部の拡大図である。
【図３】図３は、ベッド支持部を所定位置に位置決めした状態を示すものであり、その状態で一部破断した正面図である。
【図４】図４は、本発明の実施の形態２を示す一部断面した正面図である。
【図５】図５は、本発明の実施の形態３を示す斜軸投影図である。
【図６】図６（ａ）は、本発明の実施の形態４を示す一部断面した正面図である。図６（ｂ）は、図６（ａ）を矢視した矢視図である。
【図７】図７（ａ），（ｂ），（ｃ），（ｄ）は、本発明の実施の形態４の支持プレートの他の形状を示す下面図である。
【符号の説明】
１…ベッド
２…案内面
１０…ベッド支持部
１２…凹部空間
１３…内側面
１５…ストッパ面
１６…天井面
１７…円錐凹部
２０…支持ボルト
２３…支持プレート
２５…球状凹部
３０…Ｖ支持面
【図１】
0004152456.tif 000002
【図２】
0004152456.tif 000003
【図３】
0004152456.tif 000004
【図４】
0004152456.tif 000005
【図５】
0004152456.tif 000006
【図６】
0004152456.tif 000007
【図７】
0004152456.tif 000008